(57)【要約】      （修正有）【課題】アクセスポイントの接続モードの切り替えが容易な情報処理装置、情報処理システム、方法及びプログラムを提供する。【解決手段】情報処理システム１００において、通信端末とアクセスポイント１３０との接続を制御するサーバ１１０は、画像の描画が可能な電子黒板１２０に描画された描画画像を取得する通信部３１１と、通信部３１１によって取得された描画画像が所定の画像と一致する場合に、通信端末とアクセスポイント１３０とを接続するモードの切り替えを要求するモード切替要求部３１４とを含む。【選択図】図３
2022003733.tif 000002
【特許請求の範囲】
【請求項１】
通信端末とアクセスポイントとの接続を制御する情報処理装置であって、
画像の描画が可能な表示装置に描画された描画画像を取得する取得手段と、
前記取得手段が取得した前記描画画像が所定の画像と一致する場合に、前記通信端末と前記アクセスポイントとを接続するモードの切り替えを要求する要求手段と
を含む、情報処理装置。
【請求項２】
前記要求手段は、前記通信端末から前記アクセスポイントへの接続する認証方法の変更を要求することを特徴とする、請求項１に記載の情報処理装置。
【請求項３】
前記要求手段は、前記アクセスポイントに接続可能な端末の数の上限の変更を要求することを特徴とする、請求項１または２に記載の情報処理装置。
【請求項４】
前記取得手段が取得した前記描画画像が所定の画像と一致する場合に、当該所定の画像に対応する表示情報を前記表示装置に送信する送信手段
をさらに含む、請求項１〜３のいずれか１項に記載の情報処理装置。
【請求項５】
前記表示情報を、前記所定の画像に対応する表示情報を記憶する外部の記憶手段から取得することを特徴とする、請求項４に記載の情報処理装置。
【請求項６】
通信端末とアクセスポイントとの接続を制御する情報処理装置であって、
画像の描画が可能な表示装置に描画された描画画像を取得する取得手段と、
前記取得手段が取得した前記描画画像が所定の画像と一致する場合に、前記通信端末と前記アクセスポイントとを接続するモードの切り替えを要求する要求手段と
を含む、情報処理システム。
【請求項７】
前記取得手段が取得した前記描画画像が所定の画像と一致する場合に、当該所定の画像に対応する表示情報を前記表示装置に送信する送信手段
をさらに含む、請求項６に記載の情報処理システム。
【請求項８】
前記表示装置は、前記送信手段から前記表示情報を受信した場合に、当該表示情報を表示することを特徴とする、請求項７に記載の情報処理システム。
【請求項９】
通信端末とアクセスポイントとの接続を制御する方法であって、
画像の描画が可能な表示装置に描画された描画画像を取得するステップと、
前記取得するステップにおいて取得した前記描画画像が所定の画像と一致する場合に、前記通信端末と前記アクセスポイントとを接続するモードの切り替えを要求するステップと
を含む、方法。
【請求項１０】
通信端末とアクセスポイントとの接続を制御する情報処理装置が実行するプログラムであって、前記情報処理装置を
画像の描画が可能な表示装置に描画された描画画像を取得する取得手段、
前記取得手段が取得した前記描画画像が所定の画像と一致する場合に、前記通信端末と前記アクセスポイントとを接続するモードの切り替えを要求する要求手段
として機能させる、プログラム。
【発明の詳細な説明】
【技術分野】
【０００１】
本発明は、アクセスポイントへの接続設定を切り替える情報処理装置、情報処理システム、方法およびプログラムに関する。
【背景技術】
【０００２】
店舗、施設、建物などにアクセスポイントを設置し、無線ＬＡＮによってスマートホン端末などをネットワークに接続するサービスが提供されている。
【０００３】
上述したサービスでは、アクセスポイントに接続できる端末の数に上限を設定したり、端末のユーザに対してパスワードの入力を求めたりすることで、通信サービスの品質を安定させる。
【０００４】
ところで、上述のようなサービスにおいては、災害発生時などの有事の際には、アクセスポイントへの接続を公衆に開放し、災害時における情報収集や安否確認などを目的とする通信サービスを提供する場合がある。かかる場合には、アクセスポイントの設定を、接続可能な端末数の上限の引き上げたモードや、パスワード入力が不要なモードなどに切り替える。
【０００５】
有事の際にアクセスポイントの接続モードを切り替える技術として、例えば特許第６０５６２５１号公報（特許文献１）が知られている。特許文献１には、緊急度の高い状態において、特定のＬＡＮポートをシャットし、当該状態で無線接続される無線端末装置と特定のＬＡＮデバイスとの接続を禁止する技術が開示されている。
【０００６】
ところで、有事の際に接続モードを切り替える場合には、煩雑な操作や高度な知識がなくとも、容易にモードの切り替えができることが求められる。しかしながら、特許文献１を始めとする従来技術では、緊急地震速報などといった外部からの通知に基づいて切り替えが行われるものであり、通知を適切に受信できなかった場合などには接続モードの切り替えができなかった。そのため、有事の際に接続モードを容易に切り替える技術が求められていた。
【発明の概要】
【発明が解決しようとする課題】
【０００７】
本発明は、上記従来技術における課題に鑑みてなされたものであり、アクセスポイントの接続モードの切り替えが容易な情報処理装置、情報処理システム、方法およびプログラムを提供することを目的とする。
【課題を解決するための手段】
【０００８】
すなわち、本発明によれば、
通信端末とアクセスポイントとの接続を制御する情報処理装置であって、
画像の描画が可能な表示装置に描画された描画画像を取得する取得手段と、
前記取得手段が取得した前記描画画像が所定の画像と一致する場合に、前記通信端末と前記アクセスポイントとを接続するモードの切り替えを要求する要求手段と
を含む、情報処理装置が提供される。
【発明の効果】
【０００９】
本発明によれば、アクセスポイントの接続モードの切り替えが容易な情報処理装置、情報処理システム、方法およびプログラムが提供できる。
【図面の簡単な説明】
【００１０】
【図１】本実施形態における情報処理システム全体のハードウェアの概略構成を示す図。
【図２】本実施形態の情報処理システムを構成する各装置に含まれるハードウェア構成を示す図。
【図３】本実施形態の情報処理システムに含まれるソフトウェアブロック図。
【図４】本実施形態のサーバが実行する処理を示すフローチャート。
【図５】本実施形態におけるアクセスポイントの接続モードの切り替えを説明する図。
【図６】本実施形態における緊急モードに移行した情報処理システムを説明する図。
【図７】他の実施形態における情報処理システム全体のハードウェアの概略構成を示す図。
【図８】他の実施形態の情報処理システムに含まれるソフトウェアブロック図。
【発明を実施するための形態】
【００１１】
以下、本発明を、実施形態をもって説明するが、本発明は後述する実施形態に限定されるものではない。なお、以下に参照する各図においては、共通する要素について同じ符号を用い、適宜その説明を省略するものとする。
【００１２】
図１は、本実施形態における情報処理システム１００全体のハードウェアの概略構成を示す図である。図１では、例として、サーバ１１０と、電子黒板１２０と、アクセスポイント１３０とが接続された構成を例示している。なお、本実施形態の情報処理システム１００に含まれる電子黒板１２０やアクセスポイント１３０の台数は、図１に示したものに限らず、システムに含まれる台数に制限はない。また、各装置を接続する方法は、有線通信であってもよいし、無線通信であってもよい。
【００１３】
サーバ１１０は、本実施形態のサービスを提供する情報処理装置である。本実施形態のサーバ１１０は、電子黒板１２０に表示する画像の送信や、電子黒板１２０に描画された画像の解析などの処理を行う。また、本実施形態のサーバ１１０は、アクセスポイント１３０の接続モードを切り替える制御装置としても構成される。
【００１４】
電子黒板１２０は、各種情報を表示するための表示手段を有する装置である。また、本実施形態の電子黒板１２０は、操作を行うユーザの指や、いわゆるスタイラスペンなどのポインティングデバイスの表示手段への接触を検出し、画像を描画することができる。
【００１５】
アクセスポイント１３０は、情報処理端末１４０とネットワークとの通信を中継する装置である。図１には、２台の情報処理端末１４０と無線通信しているアクセスポイント１３０を例示している。ここで、情報処理端末１４０の例としては、スマートホン端末、タブレット端末、パソコン端末などといった種々の通信端末が挙げられる。図１に示す本実施形態のアクセスポイント１３０は、当該アクセスポイントを識別するＳＳＩＤ（Service Set Identifier）や、情報処理端末１４０との接続の認証のためのパスワードなどが設定されている。また、本実施形態のアクセスポイント１３０は、災害などの有事の際には、ネットワーク通信サービスを公衆に開放する緊急モードに切り替えることが可能な構成となっている。
【００１６】
次に、各装置のハードウェア構成について説明する。図２は、本実施形態の情報処理システム１００を構成する各装置に含まれるハードウェア構成を示す図であり、図２（ａ）はサーバ１１０およびアクセスポイント１３０のハードウェア構成を、図２（ｂ）は電子黒板１２０のハードウェア構成をそれぞれ示している。
【００１７】
まず、図２（ａ）について説明する。本実施形態のサーバ１１０およびアクセスポイント１３０は、ＣＰＵ２１０と、ＲＡＭ２２０と、ＲＯＭ２３０と、記憶装置２４０と、通信Ｉ／Ｆ２５０とを含んで構成され、各ハードウェアはバスを介して接続されている。なお、アクセスポイント１３０は、記憶装置２４０を備えない構成であってもよい。
【００１８】
ＣＰＵ２１０は、サーバ１１０およびアクセスポイント１３０の動作を制御するプログラムを実行し、所定の処理を行う装置である。ＲＡＭ２２０は、ＣＰＵ２１０が実行するプログラムの実行空間を提供するための揮発性の記憶装置であり、プログラムやデータの格納用、展開用として使用される。ＲＯＭ２３０は、ＣＰＵ２１０が実行するプログラムやファームウェアなどを記憶するための不揮発性の記憶装置である。
【００１９】
記憶装置２４０は、サーバ１１０およびアクセスポイント１３０を機能させるＯＳや各種アプリケーション、設定情報、各種データなどを記憶する、読み書き可能な不揮発性の記憶装置である。通信Ｉ／Ｆ２５０は、サーバ１１０およびアクセスポイント１３０とネットワークとを接続し、ネットワークを介して、他の装置との通信を可能にする。ネットワークを介した通信は、有線通信または無線通信のいずれであってもよく、ＴＣＰ／ＩＰなどの所定の通信プロトコルを使用し、各種データを送受信できる。
【００２０】
次に、図２（ｂ）について説明する。本実施形態の電子黒板１２０は、ＣＰＵ２１０と、ＲＡＭ２２０と、ＲＯＭ２３０と、記憶装置２４０と、通信Ｉ／Ｆ２５０と、ディスプレイ２６０とを含んで構成され、各ハードウェアはバスを介して接続されている。なお、ＣＰＵ２１０、ＲＡＭ２２０、ＲＯＭ２３０、記憶装置２４０、通信Ｉ／Ｆ２５０は、図２（ａ）で説明したものと同様であることから、詳細な説明は省略する。
【００２１】
ディスプレイ２６０は、テキスト、写真、イメージなどの各種画像を表示する装置であり、例として、ＬＣＤ（Liquid Crystal Display）などが挙げられる。また、本実施形態のディスプレイ２６０は、いわゆるタッチパネルディスプレイとして構成され、物体の接触を検出できる。これによって、本実施形態の電子黒板１２０において操作を行うユーザは、任意の形状の画像を描画することができる。
【００２２】
以上、本実施形態の各装置に含まれるハードウェア構成について説明した。次に、本実施形態における各ハードウェアによって実行される機能手段について、図３を以て説明する。図３は、本実施形態の情報処理システム１００に含まれるソフトウェアブロック図である。
【００２３】
図３に示すように、サーバ１１０は、通信部３１１、画像解析部３１２、画像判定部３１３、モード切替要求部３１４、記憶部３１５の各モジュールを含む。また、電子黒板１２０は、通信部３２１、表示部３２２、接触位置検出部３２３の各モジュールを含む。また、アクセスポイント１３０は、通信部３３１、接続設定部３３２の各モジュールを含む。
【００２４】
まず、サーバ１１０について説明する。通信部３１１は、通信Ｉ／Ｆ２５０を介してネットワークに接続し、情報処理システム１００を構成する他の装置と通信する手段である。例えば通信部３１１は、電子黒板１２０と通信し、電子黒板１２０に表示させる画像を送信したり、電子黒板１２０に描画された画像を受信したりできる。また、通信部３１１は、アクセスポイント１３０に対して、接続モードの切替要求を送信することができる。
【００２５】
画像解析部３１２は、電子黒板１２０に描画された画像（以下、「描画画像」として参照する）を解析する手段である。画像判定部３１３は、画像解析部３１２が解析した結果に基づいて、記憶部３１５に記憶されている所定の画像と、解析された描画画像とが一致するか否かを判定する手段である。画像判定部３１３による判定結果は、モード切替要求部３１４に出力される。
【００２６】
モード切替要求部３１４は、描画画像が所定の画像と一致すると画像判定部３１３が判定した場合に、通信部３１１を介してアクセスポイント１３０に対して接続モードの切り替えを要求する手段である。
【００２７】
記憶部３１５は、記憶装置２４０を制御し、モード切り替えのための画像（以下、「トリガ画像」として参照する）を記憶する手段である。なお、記憶部３１５は、切り替えるモードに応じた複数のトリガ画像を記憶する構成としてもよい。また、記憶部３１５には、電子黒板１２０に表示させる画像を表示情報として記憶することができる。また、記憶部３１５は、電子黒板１２０との通信を行うために、情報処理システム１００を構成する電子黒板のＩＰアドレスを記憶することができる。
【００２８】
次に、電子黒板１２０について説明する。通信部３２１は、通信Ｉ／Ｆ２５０を介してネットワークに接続し、情報処理システム１００を構成する他の装置と通信する手段である。例えば通信部３２１は、サーバ１１０と通信し、電子黒板１２０に表示させる画像を受信したり、描画画像を送信したりできる。
【００２９】
表示部３２２は、ディスプレイ２６０の動作を制御し、各種画像をディスプレイ２６０上に表示する手段である。接触位置検出部３２３は、ディスプレイ２６０上に接触したユーザの指や各種ポインティングデバイスの位置を検出する手段である。接触位置検出部３２３が物体の接触位置を連続的に検出することで、表示部３２２は、接触位置の軌跡を描画画像として表示することができる。
【００３０】
次に、アクセスポイント１３０について説明する。通信部３３１は、通信Ｉ／Ｆ２５０を介してネットワークに接続し、情報処理システム１００を構成する他の装置と通信する手段である。例えば通信部３３１は、サーバ１１０と通信し、モード切替要求を受信することができる。また、通信部３３１は、モード切替要求に基づく接続モードの切り替えが完了した旨の通知をサーバ１１０に送信できる。
【００３１】
接続設定部３３２は、アクセスポイント１３０と情報処理端末１４０との接続モードを設定する手段である。接続設定部３３２は、当該アクセスポイントに接続することができる情報処理端末１４０の数の上限や、接続を認証するためのパスワードなどを設定することができ、受信したモード切替要求に基づいて、適宜設定を変更することができる。例えば災害などが発生した場合にアクセスポイント１３０が緊急モードへの切替要求を受信すると、接続設定部３３２は、緊急モードとして設定されている接続モードに切り替える。災害時における緊急モードの例としては、接続可能な端末数の上限の引き上げたモード（上限を無制限とするモードを含む）、パスワード入力が不要なモード、これらを組み合わせたモードなどが挙げられるが、特に実施形態を限定するものではない。
【００３２】
なお、上述したソフトウェアブロックは、ＣＰＵ２１０が本実施形態のプログラムを実行することで、各ハードウェアを機能させることにより、実現される機能手段に相当する。また、各実施形態に示した機能手段は、全部がソフトウェア的に実現されても良いし、その一部または全部を同等の機能を提供するハードウェアとして実装することもできる。さらに、上述した各機能手段は、必ずしも全てが図３に示すような構成で含まれていなくてもよい。
【００３３】
次に、上記の各機能手段が実行する、アクセスポイント１３０の接続モードを切り替える処理について説明する。図４は、本実施形態のサーバ１１０が実行する処理を示すフローチャートである。なお、ここでは、サーバ１１０は、災害の発生に伴って緊急モードに切り替える場合を例に説明する。
【００３４】
サーバ１１０は、ステップＳ１０００から処理を開始する。ステップＳ１００１では、サーバ１１０の通信部３１１は、電子黒板１２０に対して描画画像の送信を要求する。その後、ステップＳ１００２において、通信部３１１は、電子黒板１２０から描画画像を取得する。取得した描画画像は、サーバ１１０の記憶部３１５などに一時的に記憶される。なお、他の好ましい実施形態では、電子黒板１２０は、サーバ１１０に対して描画画像を定期的に送信する構成としてもよく、これによってステップＳ１００１の処理を省略することができる。
【００３５】
次に、ステップＳ１００３では、受信した描画画像と、記憶部３１５に記憶されているトリガ画像とが一致するか否かによって処理を分岐する。描画画像とトリガ画像が一致しない場合には（ＮＯ）、ステップＳ１００１に戻り、上述した処理を繰り返す。なお、トリガ画像と一致しない場合には、描画画像はサーバ１１０から削除される。また、描画画像とトリガ画像が一致する場合には（ＹＥＳ）、ステップＳ１００４に進む。
【００３６】
なお、ステップＳ１００３における処理は、画像解析部３１２が描画画像を解析し、画像判定部３１３が解析結果およびトリガ画像に基づいて判定することで行われる。ステップＳ１００３における画像の一致とは、完全に一致することを意図するものではない。例えば電子黒板１２０においてフリーハンドで画像が描画されることを考慮して、画像解析部３１２が解析した描画画像の特徴量とトリガ画像の特徴量とを比較し、閾値以上の割合でマッチングしている場合には、両者が一致しているものと判定することができる。
【００３７】
ステップＳ１００３の後、ステップＳ１００４においてモード切替要求部３１４は、アクセスポイント１３０に対して接続モードを緊急モードに切り替える要求を送信する。その後、ステップＳ１００５では、サーバ１１０はアクセスポイント１３０からモードの切り替えが完了した旨の通知を受信したか否かによって処理を分岐する。モード切替完了通知を受信していない場合には（ＮＯ）、ステップＳ１００５の処理を繰り返し、モード切替完了通知を待機する。モード切替完了通知を受信した場合には（ＹＥＳ）、ステップＳ１００６に進む。
【００３８】
ステップＳ１００６では、サーバ１１０は、自機の状態についても緊急モードに設定する。ステップＳ１００６では、例えば、情報処理システム１００を構成する１以上の電子黒板１２０に対して、災害が発生した旨や避難情報などを配信し、表示を要求することができる。その後、ステップＳ１００７において、サーバ１１０は処理を終了する。
【００３９】
図４に示した処理では、所定の画像を電子黒板１２０に描画することで緊急モードに切り替えることができるので、情報処理システム１００は、アクセスポイント１３０の接続モードの切り替えを容易に行うことができる。
【００４０】
なお、図４に示す処理では、ステップＳ１００２において取得した描画画像を、トリガ画像と一致しているか否かの判断対象としているが、意図しない接続モードの切り替えが行われるのを防ぐために、以下のような処理をしてもよい。すなわち、ある時点で取得した描画画像と、その次の時点で取得した描画画像との差分を算出し、当該差分がトリガ画像と一致している場合に、接続モードを切り替える構成としてもよい。これによって、電子黒板１２０の操作中に誤ってトリガ画像と一致する画像を描画したとしても、ユーザの意図しない接続モードの切り替えを防ぐことができる。
【００４１】
以下では、接続モードの切り替えについて、図５および図６に示す具体的な例によって説明する。図５は、本実施形態におけるアクセスポイント１３０の接続モードの切り替えを説明する図である。な５では、通常モードで運用されている情報処理システム１００を、災害などの発生に伴い緊急モードに切り替える場合を例示している。なお、図５における丸囲み数字は、処理の順序を示しており、以下では、「処理１」などとして記載する。
【００４２】
図５に示すように、災害の発生などに伴い、ユーザは電子黒板１２０に緊急モードに切り替えるための画像を描画する（処理１）。なお、画像を描画するユーザの例としては、電子黒板１２０が設置された施設の管理者などが挙げられ、管理者は接続モードを切り替えるための画像を把握しているものとする。
【００４３】
その後、サーバ１１０は電子黒板１２０から描画画像を取得する（処理２）。なお、図５における処理２は、図４のステップＳ１００２に相当する。
【００４４】
次に、サーバ１１０は取得した描画画像と記憶部３１５に記憶されているトリガ画像とを比較し、一致するかを判定する。図５では、サーバ１１０が、緊急モードに切り替えるためのトリガ画像と、試験モードに切り替えるためのトリガ画像とを記憶している場合を例示している。図５の例では、処理１で描画された画像は、緊急モードのトリガ画像と一致していると判定される。
【００４５】
処理３において描画画像は緊急モードのトリガ画像と一致していると判定されたことから、サーバ１１０は、アクセスポイント１３０に対して接続モードを緊急モードに切り替える要求を送信する（処理４）。
【００４６】
サーバ１１０からのモード切替要求を受けて、アクセスポイント１３０は、接続モードを通常モードから緊急モードに切り替える（処理５）。緊急モードへの切り替えによって、例えば当該アクセスポイントへの接続を認証するためのパスワード入力を不要とできる。また、緊急モードでは、当該アクセスポイントが公衆に開放されていることを情報処理端末１４０上で認識しやすくするために、ＳＳＩＤの名称を「ｆｒｅｅ」などに変更することとしてもよい。さらに緊急モードでは、当該アクセスポイントに接続可能な情報処理端末１４０の数の上限を、通常モードよりも引き上げることとしてもよい。
【００４７】
処理５において接続モードが緊急モードに切り替えられると、アクセスポイント１３０は、モードの切り替えが完了した旨の通知をサーバ１１０に送信する（処理６）。
【００４８】
次に図６について説明する。図６は、本実施形態における緊急モードに移行した情報処理システム１００を説明する図である。図６に示す処理は、図５の処理６においてモードの切り替えが完了した旨の通知をアクセスポイント１３０が送信した後に開始される。
【００４９】
サーバ１１０は、アクセスポイント１３０からモード切替完了通知を受信すると、自機の設定も緊急モードに変更する（処理１）。
【００５０】
その後、サーバ１１０は、電子黒板１２０に対して警報を送信する（処理２）。サーバ１１０は、処理２における警報の送信とともに、電子黒板１２０に表示させる警報画面の画像データなどを送信することができる。なお、警報の送信は、情報処理システム１００を構成する複数の電子黒板１２０に対して行われてもよい。これによって、画像が描画された電子黒板１２０以外の情報処理システム１００内の他の電子黒板１２０にも同様の警報を通知することができる。なお、電子黒板１２０に送信される警報画面の画像データは、サーバ１１０の記憶部３１５に記憶されていてもよいし、サーバ１１０の外部の記憶領域に記憶されていてもよい。
【００５１】
サーバ１１０から警報を受信した電子黒板１２０は、ディスプレイ２６０に警報画面を表示する（処理３）。図６に例示するように、電子黒板１２０には、警報画面として避難情報が表示される。
【００５２】
図５および図６を以て説明したように、本実施形態によれば、電子黒板１２０に所定の画像を描画することを契機として、アクセスポイント１３０の接続モードを緊急モードに切り替えられるとともに、電子黒板１２０に警報画面を表示することができる。
【００５３】
ここまでに説明した実施形態によって、所定の画像を電子黒板１２０に描画することで接続モードに切り替えることができる。したがって、本実施形態における情報処理システム１００は、アクセスポイント１３０の接続モードの切り替えを容易に行うことができる。なお、電子黒板１２０への画像の描画以外の操作によって、接続モードを切り替える構成であってもよく、例えば、所定の言葉を音声入力する、紐を引く、スイッチを押下する、振動を加えるなどの操作によって、接続モードを切り替えることとしてもよい。
【００５４】
ここまでに説明した実施形態では、主としてサーバ１１０が電子黒板１２０およびアクセスポイント１３０を制御する構成であった。しかしながら、特に実施形態を限定するものではなく、説明した以外の態様によって情報処理システム１００が構成されてもよい。例えば、他の好ましい実施形態では、ＳＤＮ（Software Defined Network）技術を採用した機器によって制御する構成であってもよい。ＳＤＮ技術は、ネットワークをソフトウェアベースで区分して制御する技術であり、ＳＤＮを実現する代表的な手段として、ＯｐｅｎＦｌｏｗプロトコルを使用する手法がある。
【００５５】
図７は、他の実施形態における情報処理システム１００全体のハードウェアの概略構成を示す図である。図７に示す他の実施形態では、情報処理システム１００は、サーバ１１０、電子黒板１２０、アクセスポイント１３０に加え、さらにＳＤＮコントローラ１５０およびＳＤＮスイッチ１６０を含んで構成される。
【００５６】
図７に示すＳＤＮコントローラ１５０は、図１などに示したサーバ１１０と同様に、電子黒板１２０に描画された画像を解析した結果に基づいて、アクセスポイント１３０の接続モードを制御する装置である。なお、ＳＤＮコントローラ１５０は、ＳＤＮスイッチ１６０を介して接続モードの切り替えを行う。なお、ＳＤＮコントローラ１５０は、図４のフローチャートに示した各処理を実行することができる。
【００５７】
ＳＤＮスイッチ１６０は、ＳＤＮコントローラ１５０からの接続モードを切り替える要求に基づいて、アクセスポイント１３０と情報処理端末１４０との接続モードを切り替える装置である。なお、ＳＤＮスイッチ１６０は、アクセスポイント１３０と一体として構成されてもよい。
【００５８】
図７に示す他の実施形態におけるサーバ１１０は、画像を格納するファイルサーバとして構成され、例えば電子黒板１２０に表示させる画像を記憶することができる。サーバ１１０に記憶される画像の例としては、警報画面の画像データなどが挙げられる。
【００５９】
図８は、他の実施形態の情報処理システム１００に含まれるソフトウェアブロック図である。電子黒板１２０の機能手段は、図３に示した構成と同様であるため、詳細は省略する。また、図３に示した機能手段と共通するものについては、適宜その説明を省略する。
【００６０】
サーバ１１０は、通信部３１１、記憶部３１５の各モジュールを含む。通信部３１１は、通信Ｉ／Ｆ２５０を介してネットワークに接続し、情報処理システム１００を構成する他の装置と通信する手段である。記憶部３１５は、電子黒板１２０に表示させる画像を表示情報として記憶する手段である。
【００６１】
ＳＤＮコントローラ１５０は、通信部３５１、画像解析部３５２、画像判定部３５３、モード切替要求部３５４、記憶部３５５の各モジュールを含む。ＳＤＮコントローラ１５０のソフトウェアブロックは、図３に示したサーバ１１０と同様であるため、説明を省略する。なお、記憶部３５５は、サーバ１１０や電子黒板１２０との通信を行うために、情報処理システム１００を構成するサーバ１１０および電子黒板のＩＰアドレスを記憶することができる。
【００６２】
ＳＤＮスイッチ１６０は、通信部３６１、接続設定部３６２の各モジュールを含む。ＳＤＮスイッチ１６０のソフトウェアブロックは、図３に示したアクセスポイント１３０と同様であるため、説明を省略する。
【００６３】
図７および図８に示す他の実施形態においても、情報処理システム１００は、図５および図６において説明した処理を行うことができる。すなわち、他の実施形態における情報処理システム１００では、ＳＤＮコントローラ１５０が描画画像とトリガ画像とを比較して、両者が一致している場合には、ＳＤＮスイッチ１６０に対してモード切替要求を送信する。モード切替要求を受信したＳＤＮスイッチ１６０は、アクセスポイント１３０と情報処理端末１４０との接続モードを切り替える。また、ＳＤＮコントローラ１５０は、ＳＤＮスイッチ１６０からのモード切替完了通知を受信すると、サーバ１１０から表示情報の画像データを取得し、電子黒板１２０に送信する。
【００６４】
ここまでに説明したように他の実施形態においても、所定の画像を電子黒板１２０に描画することで接続モードに切り替えることができる。したがって、他の実施形態における情報処理システム１００も、アクセスポイント１３０の接続モードの切り替えを容易に行うことができる。
【００６５】
以上、説明した本発明の各実施形態によれば、アクセスポイントの接続モードの切り替えが容易な情報処理装置、情報処理システム、方法およびプログラムを提供することができる。
【００６６】
上記で説明した各実施形態の各機能は、一または複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュールなどのデバイスを含むものとする。
【００６７】
実施例に記載された装置群は、本明細書に開示された実施形態を実施するための複数のコンピューティング環境のうちの1つを示すものにすぎない。ある実施形態では、サーバ１１０は、サーバクラスタといった複数のコンピューティングデバイスを含む。複数のコンピューティングデバイスは、ネットワークや共有メモリなどを含む任意のタイプの通信リンクを介して互いに通信するように構成されており、本明細書に開示された処理を実施する。
【００６８】
上述した本発明の各実施形態の各機能は、Ｃ、Ｃ＋＋、Ｃ＃、Ｊａｖａ（登録商標）等で記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ（登録商標）、ＥＰＲＯＭ等の装置可読な記録媒体に格納して頒布することができ、また他装置が可能な形式でネットワークを介して伝送することができる。
【００６９】
以上、本発明について各実施形態をもって説明してきたが、本発明は上述した各実施形態に限定されるものではなく、当業者が推考しうる実施態様の範囲内において、本発明の作用・効果を奏する限り、本発明の範囲に含まれるものである。
【符号の説明】
【００７０】
１００…情報処理システム、１１０…サーバ、１２０…電子黒板、１３０…アクセスポイント、１４０…情報処理端末、１５０…ＳＤＮコントローラ、１６０…ＳＤＮスイッチ、２１０…ＣＰＵ、２２０…ＲＡＭ、２３０…ＲＯＭ、２４０…記憶装置、２５０…通信Ｉ／Ｆ、２６０…ディスプレイ、３１１，３５１…通信部、３１２，３５２…画像解析部、３１３，３５３…画像判定部、３１４，３５４…モード切替要求部、３１５，３５５…記憶部、３２１…通信部、３２２…表示部、３２３…接触位置検出部、３３１，３６１…通信部、３３２，３６２…接続設定部
【先行技術文献】
【特許文献】
【００７１】
【特許文献１】特許第６０５６２５１号公報
【図１】
2022003733.tif 000003
【図２】
2022003733.tif 000004
【図３】
2022003733.tif 000005
【図４】
2022003733.tif 000006
【図５】
2022003733.tif 000007
【図６】
2022003733.tif 000008
【図７】
2022003733.tif 000009
【図８】
2022003733.tif 000010